(57)【特許請求の範囲】
【請求項１】
移動無線通信端末と基地局とを通信網を介して接続し通話路を確立するためのＩＤ情報を上記端末に書き込む方法において、上記端末は予め指定された情報を所定のキー入力により入力モードに移行し基地局を呼び出し、入力モードにてキー入力した送信データを、前記端末の仮番号として基地局に通知し、通話路を切断する。次に、該基地局は前記データに基づいて前記端末を呼び出し該端末との認証を行った後ＩＤ情報を送出する一方、前記端末は前記認証後書込モードに移行し、基地局より送出されたＩＤ情報を受信して端末に具備された記憶手段に書き込むことを特徴とする移動無線通信端末のＩＤ書込方法。
【発明の詳細な説明】
【０００１】
【発明の属する技術分野】
本発明は、移動無線通信端末の通話路を介して、安全確実にＩＤを書き込む方法に関する。
【０００２】
【従来の技術】
従来より、自動車・携帯電話等の移動無線通信システムにおいて、端末機と基地局が通信するためには、各端末機に電話番号等のＩＤ情報を付与すると共に、基地局、制御局、ＨＬＲ、スイッチ等の通信網に各端末機の上記ＩＤ情報を登録することが必要である。そして、該ＩＤ情報が付与されて、初めて、各端末機は発信が可能となり、通話を行うことができる。
通常、端末機へのＩＤの付与は、端末機の販売店等に設置されているＩＤ書込機を使用して、各端末機に個別のＩＤを書き込む手段がとられるのが一般的である。
また、上記のＩＤ書込機によらないＩＤの書き込み手段として、端末機に指定された操作を施してＩＤを書き込む方法がある。
【０００３】
【発明が解決しようとする課題】
しかしながら、上述のＩＤ書込機を使用してＩＤを書き込む方法においては、該ＩＤ書込機の保守管理を販売店等が行っているので、ＩＤ情報のセキュリティーは守られるが、書込場所が端末機の販売店等に限定されており、且つ、１台のＩＤ書込機では、一時に多数の端末機にＩＤの書き込みを行うことができないという不便さがある。また、その解決策として、多数のＩＤ書込機を販売店等に設置することは経済的でない。一方、 端末機を操作することによりＩＤを書き込む方法においては、 ＩＤ書込機を各販売店に設置する必要はないが、セキュリティーが完全でない。即ち、端末機のみでＩＤの書き込み及び変更が可能であるから、第３者にＩＤ情報が漏洩すると第３者が自らの端末機にそのＩＤ情報を書き込み、通信サービスを正規ユーザに無断で使用することができるという問題があった。
本発明は上記課題を解決するためになされたものであって、ＩＤ書込機を使用することなく、安全に、端末機にＩＤを書き込む手段を提供することを目的とする。
【０００４】
【課題を解決するための手段】
上記課題を解決するため、本発明は、移動無線通信端末と基地局とを通信網を介して接続し通話路を確立するためのＩＤ情報を上記端末に書き込む方法において、上記端末は予め指定された情報を所定のキー入力により入力モードに移行し基地局を呼び出し、入力モードにてキー入力した送信データを、前記端末の仮番号として基地局に通知し、通話路を切断する。次に、該基地局は前記データに基づいて前記端末を呼び出し該端末との認証を行った後ＩＤ情報を送出する一方、前記端末は前記認証後書込モードに移行し、基地局より送出されたＩＤ情報を受信して端末に具備された記憶手段に書き込むことを特徴とする。
【０００５】
【発明の実施の形態】
以下、本発明を図面に示した実施の形態に基づいて詳細に説明する。
図１（ａ）は、本発明に係るＩＤ書込方法を示すフローチャートで、同図（ｂ）は、その詳細を示すフローチャートであり、同フローチャートによってＩＤ書き込み方法を説明する。
【０００６】
図１（ａ）において、先ず、端末機におけるキー操作により入力モードへの移行処理（ＳＴ１−１）が行われる。即ち、図１（ｂ）のように、端末機のキー操作によって指定された桁数の番号を入力する（ＳＴ２−１）。該入力操作は、所定時間まで待ち受けされ（ＳＴ２−１〜２）、入力された上記番号が指定の番号と一致しているか否かを判定する（ＳＴ２−３）。判定結果が一致した場合は入力モードへ移行する（ＳＴ２−４）。
例えば、電源投入後５秒以内に、指定された７桁の「０１２３４５６」の番号を入力することにより入力モードに移行する。
【０００７】
上記のように入力モードに移行後、入力処理（ＳＴ１−２）動作に移る。
該入力処理（ＳＴ１−２）では、通信網へ通知するデータのキー入力を行う（ＳＴ２−５）。通知するデータとしては、端末機の製造番号、ユーザが決める任意の番号、予めシステムで決められている指定の番号等である。上記データ入力後、通知処理（ＳＴ１−３）に移る。
該通知処理（ＳＴ１−３）では、入力した上記キー入力番号を「仮番号」として、後述の手段で通信網へ通知する（ＳＴ２−６）。
【０００８】
上記の通知処理（ＳＴ１−３）から書込モード移行処理（ＳＴ１−４）に移る。書込モード移行処理（ＳＴ１−４）は次の通りである。即ち、前記仮番号を通知された通信網は、該仮番号を該端末機の呼出電話番号として上記端末機を呼び出す（ＳＴ２−７）。端末機は該呼出に応答し（ＳＴ２−８）、該端末機と通信網間で認証を行い（ＳＴ２−９）、認証が達成されれば書込モードに移行する（ＳＴ２−１０）。上記のように書込モードに移行後、書込処理（ＳＴ１−５）に移る。
【０００９】
書込処理（ＳＴ１−５）では、基地局から送られるデータを端末機で受信し（ＳＴ２−１１）、該受信データを端末機の記憶手段に書き込み（ＳＴ２−１２）、最後に受信データと書き込んだデータとを照合する（ＳＴ２−１３）。  受信データは、端末機に付与された電話番号、移動機番号等のＩＤ情報である。
【００１０】
ここで、上述の通知処理（ＳＴ２−６）における、仮番号を通信網に通知する方法について例を上げて説明する。
例えば、端末機から通信網への仮番号の通知のために、先ず、端末機から通信網に対し特定の電話番号で発呼できるように予め該端末機を構成しておく。
端末機から該電話番号へ発呼して接続されると、前記仮番号を、端末機から発する押しボタンダイヤルトーン（以下ＤＴＭＦという）、あるいは交換動作信号、例えばＩＮＦＯメッセージに重畳して通信網に通知する。同時に、基地局から発せられる周辺基地局の位置情報、電界強度等から上記端末機の現在地を通知する。
これにより通信網は、ＩＤの付与を希望している端末機の仮番号と該端末機の位置を知ることができ、該端末機を呼出可能となり、一方、端末機は通信網からの通信の待ち受け状態となる。
【００１１】
なお、以上、無線回線を用いて通信網へ仮番号を通知する方法を述べたが、有線回線を用いて通知してもよい。
このとき、有線回線で通信網と接続した後、前述の仮番号を有線端末機の押しボタンダイヤルを押下して通知するのが一般的であるが、端末機のファンクションキー操作で自動的に所定のＤＴＭＦが出力されるように端末機を構成してもよい。
【００１２】
【発明の効果】
以上説明したように、本発明の方法によれば、ＩＤ書込機を使わずに端末機にＩＤの書き込みができるので、ＩＤ書込機を設置するためのコストを低減できるという効果がある。更に、通信網が仮番号を一括管理するので、第３者が同じＩＤを二重取得することが不可能となるとともに、通信網との呼出、認証に成功した後に書き込みを行うのでセキュリティーも守られる。
従って、本発明は、ＩＤ書込機を使わずに安全にＩＤを書き込む方法を提供する上で著しい効果がある。
【図面の簡単な説明】
【図１】（ａ）は、本発明に係るＩＤ書き込み方法を示すフローチャート、（ｂ）は、（ａ）のＩＤ書き込み方法の詳細を示すフローチャート
【図１】
0003798503.tif 000002